(57)【要約】      （修正有）【課題】光ディスクドライブ装置の電力消費を節減し、低コスト化する。【解決手段】支持機構１１、機芯１２およびスライド装置１３を備える。支持機構１１は、両内側にスライド装置をガイドするレールを有し、レールの末端に、上方に向かって傾斜した傾斜溝を有する。機芯１２は、スライド装置によってローディングされたディスクの読み取り装置を備える。スライド装置１３は、ディスクを載置するトレー１３１、トレー上でディスクを挟持する二つの挟持片１３２及びトレー１３１を移動させる駆動機構１３３を有し、挟持片１３２は、レールにガイドされる突起１３６を有する自由端部１３５により、レールに沿って移動する間、レールによって突起１３６を介してディスクを押圧保持し、レール末端の傾斜溝により突起の押圧状態を解放して、ディスクを保持状態から解放する。【選択図】図１
0003151925.tif 000002
【実用新案登録請求の範囲】
【請求項１】
支持機構、機芯およびスライド装置を備えるディスク挿排出機構を有する光ディスクドライブ装置であって、
前記支持機構は、前記機芯および前記スライド装置を支持し、その前端にディスク挿入口を有すると共に両側の内側にレールを有し、該レールは末端に、上方に向かって傾斜した傾斜溝を有し、
前記機芯は、機芯プレート、該機芯プレート上に配置されたディスク読取装置および該ディスクを駆動する主軸モータを有し、
前記スライド装置は、トレー、二つのディスク挟持片および前記トレーを移動させる駆動機構を有し、該挟持片は一方の端部に前記トレー上に枢接されて揺動する枢軸端部を有し、他方の端部にはディスクのディスク挿入口に向いた自由端部が設けられ、前記自由端部は一方の側面に突起を設けて前記レールに沿って移動し、前記突起が前記レールに沿ってガイドされて前記挟持片の前記自由端部と前記トレーとは、ディスクの挟持状態を形成し、前記突起が前記レールの末端の傾斜溝によりディスク押圧方向から離れる方向にガイドされることにより、前記挟持片の前記自由端部と前記トレーとは、ディスク開放状態を形成することを特徴とするディスク挿排出機構を有する光ディスクドライブ装置。
【請求項２】
前記レールは、前記支持機構の両側の側壁内に凹入して設けられていることを特徴とする請求項１に記載のディスク挿排出機構を有する光ディスクドライブ装置。
【請求項３】
前記レールは、前記支持機構の両側の側壁から凸出して設けられていることを特徴とする請求項１に記載のディスク挿排出機構を有する光ディスクドライブ装置。
【請求項４】
前記機芯は、ディスク読取装置がレーザー読取装置、前記レーザー読取装置を駆動するモータおよび伝達機構を有することを特徴とする請求項１に記載のディスク挿排出機構を有する光ディスクドライブ装置。
【請求項５】
前記駆動機構は、モータ、歯車ユニット、前記トレー上に配置されたラックおよび巻掛け伝動装置からなることを特徴とする請求項１に記載のディスク挿排出機構を有する光ディスクドライブ装置。
【請求項６】
前記支持機構は、支持機構下部および支持機構上部から構成されることを特徴とする請求項１に記載のディスク挿排出機構を有する光ディスクドライブ装置。
【考案の詳細な説明】
【技術分野】
【０００１】
本考案は、光ディスクドライブ装置に関し、特に、ディスク挿排出機構を有する光ディスクドライブ装置に関する。
【背景技術】
【０００２】
現在、光ディスクドライブ装置は、ディスク挿排出機構によりディスクが光ディスクドライブ装置の支持機構に挿入されることにより、ディスクが機芯にローディングされる。ディスクの排出もディスク挿排出機構により行われる。
【０００３】
以下、従来技術を図面に基づいて説明する。図１０を参照する。図１０は、従来技術によるディスク挿排出機構を示す分解斜視図である。図１０に示すように、従来技術によるディスク挿排出機構は、支持機構９１、機芯９２およびスライド装置９３を具える。スライド装置９３には、挟持片９４が配置されている。挟持片９４とスライド装置９３との間に磁性デバイス９５が配置されている。磁性デバイス９５により挾持されたディスクがスライド装置９３により支持機構９１の機芯９２の位置にローディングされる。磁力によるディスクの挾持法は、吸引デバイスによりディスクが吸引挾持される。ディスクが排出される際には、磁力に反発する力が必要で、かなり大きなパワが消費される。そのため、かなり大きな出力を有するモータが必要になり、電力を消耗してしまう。また、磁石および高出力モータにより吸引デバイスに反発させるため、コストがかかるという短所がある。
【先行技術文献】
【特許文献】
【０００４】
【特許文献１】特開平１１−１３４７５８号公報
【特許文献２】特開２００８−７１３７３号公報
【考案の概要】
【考案が解決しようとする課題】
【０００５】
本考案の目的は、節電可能で、低コストのディスク挿排出機構を有する光ディスクドライブ装置を提供することにある。
【０００６】
上述の目的を達成するため、本考案は、ディスク挿排出機構を有する光ディスクドライブ装置を提供する。本考案のディスク挿排出機構を有する光ディスクドライブ装置は、支持機構、機芯およびスライド装置を備える。支持機構は、機芯およびスライド装置を支持している。支持機構は、前端にディスク挿入口を有する。支持機構は、両側の内側にレールを有し、レールは、末端に、上方に向かって傾斜した傾斜溝を有する。機芯は、機芯プレート、機芯プレート上に配置されたディスク読取装置および主軸モータを有する。スライド装置は、トレー、二つの挟持片およびトレーを移動させる駆動機構を有する。挟持片は、突起を有する自由端部が設けられている。突起は、レールに沿って移動し、レールの位置にある時、自由端部とトレーとは、挟持状態を形成し、突起がレールの末端の傾斜溝に位置すると、自由端部とトレーとは、開放状態を形成する。
【考案の効果】
【０００７】
本考案のディスク挿排出機構を有する光ディスクドライブ装置は、磁性デバイスを用いずにディスクを挟持するため、磁性デバイスにかかるコストを節約することができる。また、ディスクを排出する際、磁性デバイスに反発する磁力が不必要になり、節電およびコストの低下が実現した。
【図面の簡単な説明】
【０００８】
【図１】本考案の一実施形態によるディスク挿排出機構を有する光ディスクドライブ装置を示す分解斜視図である。
【図２】本考案の一実施形態によるディスク挿排出機構を有する光ディスクドライブ装置を示すもう一つの分解斜視図である。
【図３】トレーが挿入口近くに位置する動作を示す斜視図である。
【図４】トレーが機芯に位置する動作を示す斜視図である。
【図５】図３の平面図である。
【図６】図５のＸ−Ｘ面の断面図である。
【図７】図３の底面図である。
【図８】トレーが挿入口近くに位置する動作を示す断面図である。
【図９】トレーが機芯に位置する動作を示す断面図である。
【図１０】従来技術によるディスク挿排出機構を示す分解斜視図である。
【考案を実施するための形態】
【０００９】
以下、本考案の実施形態を図面に基づいて説明する。
【００１０】
図１および図２を参照する。図１は、本考案の一実施形態によるディスク挿排出機構を有する光ディスクドライブ装置を示す分解斜視図である。図２は、本考案の一実施形態によるディスク挿排出機構を有する光ディスクドライブ装置を示すもう一つの分解斜視図である。図１および図２に示すように、本考案のディスク挿排出機構を有する光ディスクドライブ装置は、支持機構１１、機芯１２およびスライド装置１３からなる。
【００１１】
図３および図４を参照する。図３は、トレー１３１が挿入口近くに位置する動作を示す斜視図である。図４は、トレーが機芯に位置する動作を示す斜視図である。図３および図４に示すように、本考案の支持機構１１は、機芯１２およびスライド装置１３を支持している。支持機構１１は、前端１１１にディスク挿入口１１２を有する。支持機構１１は、両側の内側にレール１１３を有する。レール１１３は、末端に、上方に向かって傾斜した傾斜溝１１４を有する。図２に示すように、レール１１３は、支持機構１１の両側の側壁１１５内に凹入しているが、レール１１３は、支持機構１１の両側の側壁１１５から凸出していてもよい（図示せず）。また、支持機構１１は、製造および組立における便宜のため、支持機構下部１１６および支持機構上部１１７を組み合わせてなる。
【００１２】
再度図１を参照する。本考案の機芯１２は、機芯プレート１２１、機芯プレート１２１上に配置されたディスク読取装置１２２および主軸モータ１２３を有する。機芯プレート１２１により機芯１２が支持機構１１内に固定される。ディスク読取装置１２２は、レーザー読取装置１２２１、モータ１２２２、伝達機構１２２３およびスライド棒１２２４を有する。伝達機構１２２３は、モータ１２２２の動力をレーザー読取装置１２２１に伝達してレーザー読取装置１２２１をスライド棒１２２４に沿って移動させる。主軸モータ１２３は、ディスク１４を回転させる。
【００１３】
図１〜９参照する。図５は、図３の平面図である。図６は、図５のＸ−Ｘ面の断面図である。図７は、図３の底面図である。図８は、トレーが挿入口近くに位置する動作を示す断面図である。図９は、トレーが機芯に位置する動作を示す断面図である。
図１〜９に示すように、本考案のスライド装置１３は、トレー１３１、二つの挟持片１３２およびトレー１３１を移動させる駆動機構１３３を有する。挟持片１３２は、一方の端部に、トレー１３１上に枢接されて揺動する枢軸端部１３４を有する。
挟持片の他方の端部には、ディスク１４のディスク挿入口１１２に向いている自由端部１３５が設けられている。自由端部１３５は、一方の側面に突起１３６を設けている。突起１３６は、レール１１３に沿って移動することができる。突起１３６がレール１１３の位置にある時、挟持片１３２の自由端部１３５とトレー１３１とは、ディスクの挟持状態を形成する。突起１３６がレール１１３の末端の傾斜溝１１４に位置すると、挟持片１３２の自由端部１３５とトレー１３１とは、開放状態を形成する（図８参照）。要するに、トレー１３１が移動して挟持片１３２の突起１３６がトレー１３１の末端の傾斜溝１１４に位置すると、トレー１３１が開放される。この時、トレー１３１が移動して挟持片１３２の突起１３６がスライドすると、挟持片１３２およびトレー１３１がディスク１４を挟持して、機芯の上方の所定位置に来るまで支持機構１１の内部に向かって移動する。また、トレー１３１および挟持片１３２がディスク１４をディスク挿入口１１２の方向に移動させて、突起１３６が傾斜溝１１４の位置に達すると、挟持片１３２とトレー１３１とが開放してディスク１４を放す。この時、ディスク１４を排出することができる。
【００１４】
駆動機構１３３は、モータ１３３１、歯車ユニット１３３２、トレー１３１上に配置されたラック１３３３および巻掛け伝動装置１３３４からなる。モータ１３３１により動力が提供され、巻掛け伝動装置１３３４、歯車ユニット１３３２およびラック１３３３により動力がトレー１３１に伝達される。
【００１５】
支持機構１１の両側に設けられたレール１１３と、トレー１３１上の挟持片１３２の一方の側面に設けられた突起１３６とが本考案における特徴である。レール１１３および突起１３６により挟持片１３２の挟持または開放が制御され、ディスク１４が挟持または開放される。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１７】
１１  支持機構
１２  機芯
１３  スライド装置
１４  ディスク
１１１  前端
１１２  ディスク挿入口
１１３  レール
１１４  傾斜溝
１１５  側壁
１１６  支持機構下部
１１７  支持機構上部
１２１  機芯プレート
１２２  ディスク読取装置
１２３  主軸モータ
１３１  トレー
１３２  挟持片
１３３  駆動機構
１３４  枢軸端部
１３５  自由端部
１３６  突起
１２２１  レーザー読取装置
１２２２  モータ
１２２３  伝達機構
１２２４  スライド棒
１３３１  モータ
１３３２  歯車ユニット
１３３３  ラック
１３３４  巻掛け伝動装置
【図１】
0003151925.tif 000003
【図２】
0003151925.tif 000004
【図３】
0003151925.tif 000005
【図４】
0003151925.tif 000006
【図５】
0003151925.tif 000007
【図６】
0003151925.tif 000008
【図７】
0003151925.tif 000009
【図８】
0003151925.tif 000010
【図９】
0003151925.tif 000011
【図１０】
0003151925.tif 000012